(57)【要約】【課題】この発明は、”連続読み込みコピー機能”によって原稿画像が読み込まれた場合に、各画像読取ステップの先頭ページの出力イメージのプレビュー表示を、迅速に切り替えることができる画像形成装置を提供することを目的とする。【解決手段】前方ジャンプ指令が入力されたときには、プレビュー表示するページを、現在プレビュー表示されているページが属している画像読取ステップより１つ前方の画像読取ステップの先頭ページに変更させる手段、ならびに後方ジャンプ指令が入力されたときには、プレビュー表示するページを、現在プレビュー表示されているページが属している画像読取ステップより１つ後方の画像読取ステップの先頭ページに変更させる手段を備えている。【選択図】図６
2008306469.tif 000002
【特許請求の範囲】
【請求項１】
出力イメージをプレビュー表示するプレビュー表示機能を備えた画像形成装置において、
前方ジャンプ指令を入力するための第１入力手段、
後方ジャンプ指令を入力するための第２入力手段、
連続読み込みコピー機能によって読み込まれた画像の任意のページに対応する出力イメージがプレビュー表示されている場合において、第１手段によって前方ジャンプ指令が入力されたときには、プレビュー表示するページを、現在プレビュー表示されているページが属している画像読取ステップより１つ前方の画像読取ステップの先頭ページに変更させる手段、ならびに
連続読み込みコピー機能によって読み込まれた画像の任意のページに対応する出力イメージがプレビュー表示されている場合において、第２手段によって後方ジャンプ指令が入力されたときには、プレビュー表示するページを、現在プレビュー表示されているページが属している画像読取ステップより１つ後方の画像読取ステップの先頭ページに変更させる手段、
を備えていることを特徴とする画像形成装置。
【請求項２】
出力イメージをプレビュー表示するプレビュー表示機能を備えた画像形成装置において、
前方ジャンプ指令を入力するための第１入力手段、
後方ジャンプ指令を入力するための第２入力手段、
連続読み込みコピー機能によって読み込まれた画像の任意のページに対応する出力イメージがプレビュー表示されている場合において、第１手段によって前方ジャンプ指令が入力されたときには、プレビュー表示するページを、現在プレビュー表示されているページが属している画像読取ステップより１つ前方の画像読取ステップの先頭ページに変更させる手段、ならびに
連続読み込みコピー機能によって読み込まれた画像の任意のページに対応する出力イメージがプレビュー表示されている場合において、第２手段によって後方ジャンプ指令が入力されたときには、現在プレビュー表示されているページが属している画像読取ステップが最終の画像読取ステップであるか否かを判別し、現在プレビュー表示されているページが属している画像読取ステップが最終の画像読取ステップでない場合には、プレビュー表示するページを、現在プレビュー表示されているページが属している画像読取ステップより１つ後方の画像読取ステップの先頭ページに変更させ、現在プレビュー表示されているページが属している画像読取ステップが最終の画像読取ステップでない場合には、プレビュー表示するページを、最終ページに変更させる手段、
を備えていることを特徴とする画像形成装置。
【発明の詳細な説明】
【技術分野】
【０００１】
この発明は、デジタル複写機等の画像形成装置に関する。
【背景技術】
【０００２】
近年のデジタル複写機は、高機能化されてきたことに伴い、様々な画像処理機能が搭載されており、そのため、印刷前に出力イメージを予測することが難しくなりつつある。しかしながら、出力イメージを確認する目的で実際に印刷を行なうと用紙が無駄になるので、印刷前に出力イメージを確認できるように、出力イメージを大型の液晶パネルに表示させる機能（プレビュー表示機能）を実現させるための技術が提案されている。
【０００３】
特許第３２３６１７６号公報には、効率的にプレビュー画像を生成するための方法が開示されている。特開平１０−７０６６５号公報には、記録媒体の状態を考慮することで正確にプレビュー表示を行なう方法が開示されている。特開２００６−２６０３４７号公報には、フォルダ等のＢＯＸ等に保存されている文書から所望の文書を選択して印刷出力させる際のプレビュー表示に関し、ユーザのページめくり操作を軽減させる方法が開示されている。
【特許文献１】特許第３２３６１７６号公報
【特許文献２】特開平１０−７０６６５号公報
【特許文献３】特開２００６−２６０３４７号公報
【発明の開示】
【発明が解決しようとする課題】
【０００４】
ところで、デジタル複写機として、”連続読み込みコピー機能”を備えたものがある。”連続読み込みコピー機能”とは、自動原稿送り装置を使用して原稿を読み込む際、複数回にわたって自動原稿送り装置にセットされて読み込まれた原稿画像を、一括して出力する機能をいう。
【０００５】
”連続読み込みコピー機能”を利用する場合には、まず、動作モードを連続読み込みモードに設定する。この後、原稿（１または複数枚の原稿）をセットしてスタートキーを押す。これにより、セットした原稿の読み込みが行なわれる。セットした原稿の読み込みが終了すると、原稿をセットしてスタートキーを押すという手順を繰り返す。全ての原稿の読み込みが終了した場合には、連続読み込み終了キーを押す。連続読み込み終了キーが押されると、読み込んだ原稿画像の印刷が開始される。
【０００６】
つまり、”連続読み込みコピー機能”では、自動原稿送り装置にセットされる原稿群単位毎に、複数のステップ（画像読取ステップ）に分けて原稿読み取りが行なわれる。そして、連続読み込み終了キーが押されると、全画像読取ステップで読み取られた画像の印刷が開始される。なお、各画像読取ステップ毎に、解像度等の設定変更が可能である。
【０００７】
従来のプレビュー表示機能を備えた画像形成装置は、ユーザが表示させたいページを選択する手段として、ページを１ページ毎にめくるためのページめくりボタンや、何ページ目を表示するかを指定するための表示ページ指定手段を備えていた。
【０００８】
上述した”連続読み込みコピー機能”によって複数の画像読取ステップに分けられて原稿画像が読み込まれた場合、各画像読取ステップ毎に解像度等の設定変更が可能であるため、各画像読取ステップの先頭ページの出力イメージを確認したいと考えるユーザが多いと考えられる。しかしなから、従来方法では各画像読取ステップの先頭ページの出力イメージのプレビュー表示を迅速に切り替えることはできない。
【０００９】
この発明は、”連続読み込みコピー機能”によって原稿画像が読み込まれた場合に、各画像読取ステップの先頭ページの出力イメージのプレビュー表示を、迅速に切り替えることができる画像形成装置を提供することを目的とする。
【課題を解決するための手段】
【００１０】
請求項１に記載の発明は、出力イメージをプレビュー表示するプレビュー表示機能を備えた画像形成装置において、前方ジャンプ指令を入力するための第１入力手段、後方ジャンプ指令を入力するための第２入力手段、連続読み込みコピー機能によって読み込まれた画像の任意のページに対応する出力イメージがプレビュー表示されている場合において、第１手段によって前方ジャンプ指令が入力されたときには、プレビュー表示するページを、現在プレビュー表示されているページが属している画像読取ステップより１つ前方の画像読取ステップの先頭ページに変更させる手段、ならびに連続読み込みコピー機能によって読み込まれた画像の任意のページに対応する出力イメージがプレビュー表示されている場合において、第２手段によって後方ジャンプ指令が入力されたときには、プレビュー表示するページを、現在プレビュー表示されているページが属している画像読取ステップより１つ後方の画像読取ステップの先頭ページに変更させる手段を備えていることを特徴とする。
【００１１】
請求項２に記載の発明は、出力イメージをプレビュー表示するプレビュー表示機能を備えた画像形成装置において、前方ジャンプ指令を入力するための第１入力手段、後方ジャンプ指令を入力するための第２入力手段、連続読み込みコピー機能によって読み込まれた画像の任意のページに対応する出力イメージがプレビュー表示されている場合において、第１手段によって前方ジャンプ指令が入力されたときには、プレビュー表示するページを、現在プレビュー表示されているページが属している画像読取ステップより１つ前方の画像読取ステップの先頭ページに変更させる手段、ならびに連続読み込みコピー機能によって読み込まれた画像の任意のページに対応する出力イメージがプレビュー表示されている場合において、第２手段によって後方ジャンプ指令が入力されたときには、現在プレビュー表示されているページが属している画像読取ステップが最終の画像読取ステップであるか否かを判別し、現在プレビュー表示されているページが属している画像読取ステップが最終の画像読取ステップでない場合には、プレビュー表示するページを、現在プレビュー表示されているページが属している画像読取ステップより１つ後方の画像読取ステップの先頭ページに変更させ、現在プレビュー表示されているページが属している画像読取ステップが最終の画像読取ステップでない場合には、プレビュー表示するページを、最終ページに変更させる手段を備えていることを特徴とする。
【発明の効果】
【００１２】
この発明によれば、”連続読み込みコピー機能”によって原稿画像が読み込まれた場合に、各画像読取ステップの先頭ページの出力イメージのプレビュー表示を、迅速に切り替えることができるようになる。
【発明を実施するための最良の形態】
【００１３】
以下、図面を参照して、本発明をデジタル複写機に適用した場合の実施例について説明する。
【実施例１】
【００１４】
図１は、デジタル複写機におけるプレビュー表示機能に関係する部分の構成を示している。
【００１５】
デジタル複写機は、ＣＰＵ１、ＲＯＭ２、ＲＡＭ３、メッセージＲＯＭ４、ＶＲＡＭ５、画像保存用メモリ６、ＬＣＤコントローラ７、タッチパネル付きのＬＣＤ８等を備えている。
【００１６】
ＣＰＵ１はデジタル複写機全体を制御する。ＲＯＭ２には、ＣＰＵ１のプログラム等が記憶される。ＲＡＭ３は、作業用メモリとして用いられる。メッセージＲＯＭ４には、ＬＣＤ８に表示されるメッセージ等が記憶されている。ＶＲＡＭ５には、ＬＣＤ８に表示される画像が展開される。ＬＣＤコントローラ７は、タッチパネル付きのＬＣＤ８を制御する。画像保存用メモリ６には、図示しない原稿読取部によって読み取られた原稿画像が一時的に保存される。
【００１７】
このデジタル複写機は、”連続読み込みコピー機能”を備えている。”連続読み込みコピー機能”とは、自動原稿送り装置を使用して原稿を読み込む際、複数回にわたって自動原稿送り装置にセットされて読み込まれた原稿画像を、一括して出力する機能をいう。
【００１８】
”連続読み込みコピー機能”を利用する場合には、まず、動作モードを連続読み込みモードに設定する。この後、原稿（１または複数枚の原稿）をセットしてスタートキーを押す。これにより、セットした原稿の読み込みが行なわれる。セットした原稿の読み込みが終了すると、原稿をセットしてスタートキーを押すという手順を繰り返す。全ての原稿の読み込みが終了した場合には、連続読み込み終了キーを押す。連続読み込み終了キーが押されると、読み込んだ原稿画像の印刷が開始される。
【００１９】
つまり、”連続読み込みコピー機能”では、自動原稿送り装置にセットされる原稿群単位毎に、複数のステップ（画像読取ステップ）に分けて原稿読み取りが行なわれる。そして、連続読み込み終了キーが押されると、全画像読取ステップで読み取られた画像の印刷が開始される。なお、各画像読取ステップ毎に、解像度等の設定変更が可能である。
【００２０】
なお、”連続読み込みコピー機能”による複写処理時には、ＲＡＭ３内にページ情報テーブルと区切り情報テーブルとが作成される。
【００２１】
図２は、ページ情報テーブルの一例を示している。ページ情報テーブルには、１ページ分の原稿画像が読み取られる毎に、読み取った原稿のページ数、読み取った原稿が属するステップ数、今回読み取った原稿の画像サイズおよび今回読み取った原稿の画像解像度が記憶される。
【００２２】
図３は、区切り情報テーブルの一例を示している。区切り情報テーブルには、各ステップの先頭ページの原稿画像が読み取られる毎に、ステップ数および読み取った原稿のページ数（ステップの先頭ページ数）が記憶される。
【００２３】
図４は、”連続読み込みコピー機能”による複写処理手順を示している。
【００２４】
動作モードが連続読み込みコピーモードに設定されると（ステップＳ１）、ページ数を記憶する変数ｉおよびステップ数を記憶する変数ｋをリセット（ｉ＝ｋ＝０）するとともにステップｋの先頭ページであることを記憶するフラグＦをリセット（Ｆ＝０）する（ステップＳ２）。この後、スタートキーが押下げられと（ステップＳ３）、フラグＦをセット（Ｆ＝１）するとともに、ｋを１だけインクリメントする（ステップＳ４）。
【００２５】
次に、ｉを１だけインクリメントした後（ステップＳ５）、原稿読み取りを１ページ分実行する（ステップＳ６）。そして、読み取った画像データを画像保存用メモリ６に保存する（ステップＳ７）。そして、ページ情報テーブル（図２参照）に、今回読み取った原稿のページ数ｉ、今回読み取った原稿が属するステップ数ｋ、今回読み取った原稿の画像サイズおよび今回読み取った原稿の画像解像度を記憶する（ステップＳ８）。
【００２６】
次に、フラグＦがセット（Ｆ＝１）されているか否かを判別する（ステップＳ９）。フラグＦがセット（Ｆ＝１）されている場合には、今回読み取った原稿はステップｋの先頭ページの原稿であると判断し、区切り情報テーブル（図３参照）に、ステップ数ｋおよび今回読み取った原稿のページ数ｉを記憶する（ステップＳ１０）。そして、フラグＦをリセット（Ｆ＝０）した後（ステップＳ１１）、ステップＳ１２に移行する。上記ステップＳ９において、フラグＦがセットされていないと判別した場合には、ステップＳ１０およびステップＳ１１の処理を行なうことなく、ステップＳ１２に移行する。
【００２７】
ステップＳ１２では、自動原稿送り装置に次に読み取るべき原稿が存在しているか否かを判別する。次に読み取るべき原稿が存在している場合には、ステップＳ５に戻り、ｉを１だけインクリメントした後、原稿読み取りを１ページ分実行する（ステップＳ６）。そして、ステップＳ６〜ステップＳ１２の処理を行なう。
【００２８】
ステップＳ１２において、自動原稿送り装置に次に読み取るべき原稿が存在していないと判別した場合には、ＬＣＤ８に画像保存用メモリ６に保存されている画像からユーザによって選択されたページの印刷イメージをプレビュー表示させる（ステップＳ１３）。なお、最初は、１ヘージ目の印刷イメージがプレビュー表示される。ＬＣＤ８にプレビュー表示が行なわれている状態においては、ユーザ操作に基づいてプレビュー表示ページの切り替えが可能である。プレビュー表示ページの切り替え処理については後述する。
【００２９】
次に、連続読み込み終了キーが押下げられたか否か（ステップＳ１４）および次の画像読取ステップを開始させるためにスタートキーが押下げられたか否か（ステップＳ１５）を監視する。
【００３０】
スタートキーが押下げられた場合には（ステップＳ１５でＹＥＳ）、ステップＳ４に戻り、フラグＦをセット（Ｆ＝１）するとともに、ｋを１だけインクリメントする。また、ｉを１だけインクリメントした後（ステップＳ５）、原稿読み取りを１ページ分実行する（ステップＳ６）。そして、ステップＳ６以降の処理を行なう。
【００３１】
連続読み込み終了キーが押下げられたときには（ステップＳ１４でＹＥＳ）、画像保存用メモリ６に保存した原稿画像の印刷を開始する（ステップＳ１６）。
【００３２】
図２および図３に示すテーブル内容は、図５に示すように、１番目のステップにおいてＡ４サイズの２枚の原稿Ａ，Ｂが６００ｄｐｉで読み取られ、２番目のステップにおいてＡ３サイズの３枚の原稿Ｃ，Ｄ，Ｅが２００ｄｐｉで読み取られ、３番目のステップにおいてＡ４サイズの２枚の原稿Ｆ，Ｇが６００ｄｐｉで読み取られた場合の例を示している。
【００３３】
図６は、ＬＣＤ８に表示されるプレビュー表示画面を示している。プレビュー表示画面は、プレビュー表示部１１０と、プレビュー表示部１１０の右側に表示された５種類のボタン１１１〜１１５とから構成されている。
【００３４】
ボタン１１１は、プレビュー表示させたいページ数で指定させるためのボタンであり、”ページ数指定ボタン”と呼ぶことにする。ボタン１１２は、現在プレビュー表示されているページが属する画像読取ステップの１つ前の画像読取ステップの先頭ページをプレビュー表示させるためのボタンであり、”前方ジャンプボタン”と呼ぶことにする。ボタン１１３は、現在プレビュー表示されているページの前ページをプレビュー表示させるためのボタンであり、”前ページボタン”と呼ぶことにする。
【００３５】
ボタン１１４は、現在プレビュー表示されているページの次ページをプレビュー表示させるためのボタンであり、”次ページボタン”と呼ぶことにする。ボタン１１５は、現在プレビュー表示されているページが属する画像読取ステップの１つ後の画像読取ステップの先頭ページをプレビュー表示させるためのボタンであり、”後方ジャンプボタン”と呼ぶことにする。
【００３６】
図５に示すように、Ａ〜Ｇの７枚の画像が読み取られており、図６に示すように１番目のステップ内の画像Ａに対する印刷イメージがプレビュー表示されている状態において、”後方ジャンプボタン”１１５が押し下げられると、図７に示すように、２番目のステップの先頭ページの画像Ｃに対する印刷イメージに、プレビュー表示が切り替えられる。
【００３７】
図８は、プレビュー表示ページの切り替え処理の手順を示している。
【００３８】
プレビュー表示が行なわれている場合には、５種類のボタン１１１〜１１５それぞれについて、押下げられたか否かが監視されている（ステップＳ２１〜２５）。
【００３９】
”ページ数指定ボタン”１１１が押下げられた場合には（ステップＳ２１でＹＥＳ）、ページ数入力画面を表示する（ステップＳ２６）。ページ数入力画面上にページ数が入力されると（ステップＳ２７）、プレビューの表示ページを入力されたページに変更（ステップＳ２８）。つまり、入力されたページの印刷イメージがプレビュー表示される。
【００４０】
”前方ジャンプボタン”１１２”が押下げられた場合には（ステップＳ２２でＹＥＳ）、プレビュー表示のページを、現在プレビュー表示されているページが属する画像読取ステップの１つ前の画像読取ステップの先頭ページに変更する（ステップＳ２９）。ただし、現在プレビュー表示されているページが属する画像読取ステップの１つ前の画像読取ステップが存在しない場合には、現在プレビュー表示されているページが属する画像読取ステップの先頭ページがプレビュー表示される。
【００４１】
”前ページボタン”１１３が押下げられた場合には（ステップＳ２３でＹＥＳ）、プレビュー表示のページを、現在プレビュー表示されているページの前ページに変更する（ステップＳ３０）。
【００４２】
”次ページボタン”１１４が押下げられた場合には（ステップＳ２４でＹＥＳ）、プレビュー表示のページを、現在プレビュー表示されているページの次ページに変更する（ステップＳ３１）。
【００４３】
”後方ジャンプボタン”が押下げられた場合には（ステップＳ２５でＹＥＳ）、現在プレビュー表示されているページが最終の画像読取ステップ内のページであるか否かを判別する（ステップＳ３２）。現在プレビュー表示されているページが最終の画像読取ステップ内のページでない場合には、プレビュー表示のページを、現在プレビュー表示されているページが属する画像読取ステップの１つ後の画像読取ステップの先頭ページに変更する（ステップＳ３３）。現在プレビュー表示されているページが最終の画像読取ステップ内のページである場合には、プレビュー表示のページを最終ページに変更する（ステップＳ３４）。
【００４４】
例えば、図５の２ページ目の画像Ｂ（１番目のステップ内の画像）がプレビュー表示されている時に、”前方ジャンプボタン”１１２”が押下げられと、１番目のステップの先頭ページである１ページ目の画像Ａがプレビュー表示される。
【００４５】
また、２ページ目の画像Ｂ（１番目のステップ内の画像）がプレビュー表示されている時に、”後方ジャンプボタン”１１５”が押下げられと、２番目のステップの先頭ページである３ページ目の画像Ｃがプレビュー表示される。
【００４６】
また、３ページ目の画像Ｃ（２番目のステップ内の画像）がプレビュー表示されている時に、”前方ジャンプボタン”１１２”が押下げられと、１番目のステップの先頭ページである１ページ目の画像Ａがプレビュー表示される。
【００４７】
また、３ページ目の画像Ｃ（２番目のステップ内の画像）がプレビュー表示されている時に、”後方ジャンプボタン”１１５”が押下げられと、３番目のステップの先頭ページである６ページ目の画像Ｆがプレビュー表示される。
【００４８】
６ページ目の画像Ｆ（３番目のステップ内の画像）がプレビュー表示されている時に、”後方ジャンプボタン”１１５”が押下げられと、最終ページの画像Ｇがプレビュー表示される。
【図面の簡単な説明】
【００４９】
【図１】デジタル複写機におけるプレビュー表示機能に関係する部分の構成を示すブロック図である。
【図２】ページ情報テーブルの一例を示す模式図である。
【図３】区切り情報テーブルの一例を示す模式図である。
【図４】”連続読み込みコピー機能”による複写処理手順を示すフローチャートである。
【図５】”連続読み込みコピー機能”による複写処理において、読み取られる原稿の組合せ例を示す模式図である。
【図６】ＬＣＤ８に表示されるプレビュー表示画面を示す模式図である。
【図７】プレビュー表示ページが切り替えられることを説明するための模式図である。
【図８】プレビュー表示ページの切り替え処理の手順を示すフローチャートである。
【符号の説明】
【００５０】
１  ＣＰＵ
２  ＲＯＭ
３  ＲＡＭ
４  メッセージＲＯＭ
５  ＶＲＡＭ
６  画像保存用メモリ
７  ＬＣＤコントローラ
８  タッチパネル付きのＬＣＤ
【図１】
2008306469.tif 000003
【図２】
2008306469.tif 000004
【図３】
2008306469.tif 000005
【図４】
2008306469.tif 000006
【図５】
2008306469.tif 000007
【図６】
2008306469.tif 000008
【図７】
2008306469.tif 000009
【図８】
2008306469.tif 000010